(57)【要約】      （修正有）【課題】各部の加工精度を高めることなくベース体に対するコアのガタツキを防止する。【解決手段】所定の方向へ動作されてレンズ群を透過された光の量を調整する光量調整部材５９、６０と、円板状に形成された回転可能なマグネット６８と、マグネットの回転に伴って回転され光量調整部材を動作させる駆動アーム６９と、マグネットを外周方向から挟んで位置する一対の対峙部６６ａ、６６ｂと該一対の対峙部の各一端部を連結する連結部６６ｃとを有するコア６６と、コアの一方の対峙部が貫通されたコイル６７と、コアが取り付けられると共にマグネットが回転自在に支持されたベース体５１とを設け、ベース体に少なくとも２箇所においてコアを取り付ける複数の取付突部５１ａ、５１ｂ、５１ｃを設け、取付突部にコアと嵌合する小突起５１ｄ、５１ｄ、５１ｄ、５１ｅを設けた。【選択図】図１２
2008176061.tif 000002
【特許請求の範囲】
【請求項１】
所定の方向へ動作されてレンズ群を透過された光の量を調整する光量調整部材と、
円板状に形成された回転可能なマグネットと、
マグネットの回転に伴って回転され光量調整部材を動作させる駆動アームと、
マグネットを外周方向から挟んで位置する一対の対峙部と該一対の対峙部の各一端部を連結する連結部とを有するコアと、
コアの一方の対峙部が貫通されたコイルと、
コアが取り付けられると共にマグネットが回転自在に支持されたベース体とを備え、
ベース体には少なくとも２箇所においてコアを取り付ける複数の取付突部が設けられ、
取付突部にコアと嵌合する小突起を設けた
ことを特徴とする光量調整装置。
【請求項２】
コアに円形の被取付孔を形成し、
被取付孔に挿入される取付突部を略円柱状に形成し該取付突部の外周面に少なくとも二つの小突起を周方向に離隔して設けた
ことを特徴とする請求項１に記載の光量調整装置。
【請求項３】
取付突部としてコアを挟持する第１の挟持部と第２の挟持部を設け、
第１の挟持部に小突起を設け、
第２の挟持部にコアが面接触された状態で押し当てられる被押し当て面を形成した
ことを特徴とする請求項１に記載の光量調整装置。
【請求項４】
マグネットの近傍に取付突部を設けた
ことを特徴とする請求項１に記載の光量調整装置。
【請求項５】
コイルを軸方向において挟んだ反対側に少なくとも二つの取付突部を設けた
ことを特徴とする請求項１に記載の光量調整装置。
【請求項６】
内部に所定のレンズ群が配置されたレンズ鏡筒と該レンズ鏡筒を支持する装置本体とを備え、レンズ鏡筒にレンズ群を介して取り込まれる光の量を調整する光量調整装置が組み込まれた撮像装置であって、
所定の方向へ動作されてレンズ群を透過された光の量を調整する光量調整部材と、
円板状に形成された回転可能なマグネットと、
マグネットの回転に伴って回転され光量調整部材を動作させる駆動アームと、
マグネットを外周方向から挟んで位置する一対の対峙部と該一対の対峙部の各一端部を連結する連結部とを有するコアと、
コアの一方の対峙部が貫通されたコイルと、
コアが取り付けられると共にマグネットが回転自在に支持されたベース体とを備え、
ベース体には少なくとも２箇所においてコアを取り付ける複数の取付突部が設けられ、
取付突部にコアを嵌合する小突起を設けた
ことを特徴とする撮像装置。
【発明の詳細な説明】
【技術分野】
【０００１】
本発明は光量調整装置及び撮像装置についての技術分野に関する。詳しくは、コアが取り付けられるベース体の取付突部に小突起を設けて各部の加工精度を高めることなくベース体に対するコアのガタツキを防止する技術分野に関する。
【背景技術】
【０００２】
ビデオカメラやスチルカメラ等の撮像装置には、レンズ群を介して取り込まれた光の量を調整する光量調整装置が設けられている。
【０００３】
このような光量調整装置には、光量調整部材としてシャッター羽根やフィルター羽根等がベース体に回動自在に支持され、これらの光量調整部材がマグネット、コイル及び一対の対峙部を有するコアを備えた電磁石（アクチュエーター）によって回動されて光量が調整されるようにしたものがある（例えば、特許文献１参照）。
【０００４】
特許文献１に記載された電磁石にあっては、コアの一対の対峙部がベース体に設けられた位置決め突起によって押し広げられた状態でベース体に取り付けられている。
【０００５】
【特許文献１】特開２００４−９５７０３号公報
【発明の開示】
【発明が解決しようとする課題】
【０００６】
ところが、特許文献１に記載された光量調整装置にあっては、コアの一対の対峙部が位置決め突起によって押し広げられた状態でベース体に取り付けられているため、コアが塑性変形したりコアに過大な復元力が生じるおそれがあり、ベース体に対するコアのガタツキを防止しマグネットとコアとの適正な位置を保持するために各部の加工精度を極めて高くする必要があった。
【０００７】
そこで、本発明光量調整装置及び撮像装置は、上記した問題点を克服し、各部の加工精度を高めることなくベース体に対するコアのガタツキを防止することを課題とする。
【課題を解決するための手段】
【０００８】
本発明光量調整装置及び撮像装置は、上記した課題を解決するために、所定の方向へ動作されてレンズ群を透過された光の量を調整する光量調整部材と、円板状に形成された回転可能なマグネットと、マグネットの回転に伴って回転され光量調整部材を動作させる駆動アームと、マグネットを外周方向から挟んで位置する一対の対峙部と該一対の対峙部の各一端部を連結する連結部とを有するコアと、コアの一方の対峙部が貫通されたコイルと、コアが取り付けられると共にマグネットが回転自在に支持されたベース体とを設け、ベース体に少なくとも２箇所においてコアを取り付ける複数の取付突部を設け、取付突部にコアと嵌合する小突起を設けたものである。
【０００９】
従って、本発明光量調整装置及び撮像装置にあっては、取付突部の小突起が押し当てられて圧入された状態でコアがベース体に取り付けられる。
【発明の効果】
【００１０】
本発明光量調整装置は、所定の方向へ動作されてレンズ群を透過された光の量を調整する光量調整部材と、円板状に形成された回転可能なマグネットと、マグネットの回転に伴って回転され光量調整部材を動作させる駆動アームと、マグネットを外周方向から挟んで位置する一対の対峙部と該一対の対峙部の各一端部を連結する連結部とを有するコアと、コアの一方の対峙部が貫通されたコイルと、コアが取り付けられると共にマグネットが回転自在に支持されたベース体とを備え、ベース体には少なくとも２箇所においてコアを取り付ける複数の取付突部が設けられ、取付突部にコアと嵌合する小突起を設けたことを特徴とする。
【００１１】
従って、コアのベース体への取付に関する各部の加工精度を高めることなくベース体に対するコアのガタツキを防止することができる。
【００１２】
請求項２に記載した発明にあっては、コアに円形の被取付孔を形成し、被取付孔に挿入される取付突部を略円柱状に形成し該取付突部の外周面に少なくとも二つの小突起を周方向に離隔して設けたので、コアのベース体に対する取付状態の安定化を図ることができる。
【００１３】
請求項３に記載した発明にあっては、取付突部としてコアを挟持する第１の挟持部と第２の挟持部を設け、第１の挟持部に小突起を設け、第２の挟持部にコアが面接触された状態で押し当てられる被押し当て面を形成したので、コアが被押し当て面に面接触された状態でベース体に取り付けられ、コアの安定した取付状態を確保することができる。
【００１４】
請求項４に記載した発明にあっては、マグネットの近傍に取付突部を設けたので、マグネットとコアとの間の位置精度が向上し、光量調整部材の動作の信頼性を確保することができる。
【００１５】
請求項５に記載した発明にあっては、コイルを軸方向において挟んだ反対側に少なくとも二つの取付突部を設けたので、一方の取付突部と他方の取付突部との距離が長く、コアのベース体に対する取付状態の安定化を図ることができる。
【００１６】
本発明撮像装置は、内部に所定のレンズ群が配置されたレンズ鏡筒と該レンズ鏡筒を支持する装置本体とを備え、レンズ鏡筒にレンズ群を介して取り込まれる光の量を調整する光量調整装置が組み込まれた撮像装置であって、所定の方向へ動作されてレンズ群を透過された光の量を調整する光量調整部材と、円板状に形成された回転可能なマグネットと、マグネットの回転に伴って回転され光量調整部材を動作させる駆動アームと、マグネットを外周方向から挟んで位置する一対の対峙部と該一対の対峙部の各一端部を連結する連結部とを有するコアと、コアの一方の対峙部が貫通されたコイルと、コアが取り付けられると共にマグネットが回転自在に支持されたベース体とを備え、ベース体には少なくとも２箇所においてコアを取り付ける複数の取付突部が設けられ、取付突部にコアを嵌合する小突起を設けたことを特徴とする。
【００１７】
従って、コアのベース体への取付に関する各部の加工精度を高めることなくベース体に対するコアのガタツキを防止することができる。
【発明を実施するための最良の形態】
【００１８】
以下に、本発明を実施するための最良の形態を添付図面に従って説明する。
【００１９】
以下に示した最良の形態は、本発明をスチルカメラに適用したものである。尚、本発明の適用範囲はスチルカメラに限られることはなく、例えば、ビデオカメラや他の機器に組み込まれた各種の撮像装置に広く適用することができる。
【００２０】
以下の説明にあっては、スチルカメラの撮影時において撮影者から見た方向で前後上下左右の方向を示すものとする。従って、被写体側が前方となり、撮影者側が後方となる。
【００２１】
尚、以下に示す前後上下左右の方向は説明の便宜上のものであり、本発明の実施に関しては、これらの方向に限定されることはない。
【００２２】
撮像装置１は、図１及び図２に示すように、装置本体２と該装置本体２に前後方向（光軸方向）へ移動自在に支持されたレンズ鏡筒３とを備え、非撮影時等にレンズ鏡筒３が装置本体２に収納され（図１参照）、撮影時等にレンズ鏡筒３が装置本体２から前方へ突出される（図２参照）所謂沈胴式のレンズ鏡筒３を備えた撮像装置である。
【００２３】
このような沈胴式のレンズ鏡筒３を備えることにより、非撮影時における小型化（薄型化）と撮影時における良好な光学性能の確保とを両立させることができる。
【００２４】
装置本体２は、例えば、横長の扁平な筐体４の内外に所要の各部が配置されて成る（図１乃至図３参照）。
【００２５】
装置本体２の前面にはフラッシュ５とファインダー窓６が設けられている。装置本体２の上面にはシャッター釦７、モード切替ダイヤル８及び電源釦９が設けられている。装置本体２の側面（右側面）にはバッテリーカバー１０が設けられ、該バッテリーカバー１０を開閉することにより装置本体２に対する図示しないバッテリーの出し入れが可能とされる。装置本体２の後面にはファインダー１１、ズームスイッチ１２、表示画面１３、操作釦１４、１４、・・・及び端子カバー１５が設けられている。端子カバー１５の内側には図示しない電源端子や入出力端子等が設けられている。
【００２６】
レンズ鏡筒３は、図４乃至図６に示すように、固定部材１６と該固定部材１６に固定された固定環１７と該固定環１７に回転自在に支持されたカム筒１８と該カム筒１８に前後方向（光軸方向）へ移動自在に支持された第１の可動ユニット１９とを備えている。
【００２７】
固定部材１６は、前後方向を向く略板状に形成された基板部２０と、該基板部２０の下端部から前方へ突出された取付用突部２１とを有している。
【００２８】
基板部２０には案内軸２２が取り付けられる。
【００２９】
取付用突部２１にはフォーカスモーターユニット２３が取り付けられる。フォーカスモーターユニット２３によってフォーカス移動ユニット２４が前後方向、即ち、光軸方向へ移動される。フォーカス移動ユニット２４は保持アーム２５にフォーカスレンズ群２６が取り付けられて成る。
【００３０】
フォーカスモーターユニット２３の駆動によりフォーカス移動ユニット２４が案内軸２２に案内されて光軸方向へ移動される。
【００３１】
固定部材１６には後方から撮像ユニット２７が取り付けられる（図４参照）。撮像ユニット２７は保持枠部材２８と該保持枠部材２８に保持された撮像素子２９、例えば、ＣＣＤ（Charge Coupled Device）とを有している。撮像ユニット２７は保持枠部材２８が固定部材１６に取り付けられる。
【００３２】
固定部材１６には前側から固定環１７が取り付けられる（図４及び図５参照）。固定環１７は略円筒状に形成された円筒状基部３０と該円筒状基部３０の右端側の下端部から突出されたユニット押さえ部３１と円筒状基部３０の左端側の下端部から突出されたケース取付部３２とを有している。
【００３３】
円筒状基部３０にはケース取付部３２に対応する位置に図示しないギヤ配置孔が形成されている。
【００３４】
固定環１７が固定部材１６に取り付けられた状態において、ユニット押さえ部３１によって案内軸２２及びフォーカスモーターユニット２３が前方から押さえられる。
【００３５】
固定環１７が固定部材１６に取り付けられた状態において、ケース取付部３２と固定部材１６の間で軸方向に長い伝達ギヤ３３が回転自在に支持される。伝達ギヤ３３は円筒状基部３０に形成されたギヤ配置孔に配置される。
【００３６】
固定環１７のケース取付部３２にはケース体３４が取り付けられる。
【００３７】
ケース体３４の内部にはモーター３５が取り付けられている（図４参照）。ケース体３４の内部には図示しない伝達ギヤ群が配置され、該伝達ギヤ群は伝達ギヤ３３に噛合されている。モーター３５が起動されると、伝達ギヤ群を介して駆動力が伝達ギヤ３３に伝達される。
【００３８】
ケース体３４は取付用板バネ３６によって固定環１７と固定部材１６に取り付けられる。
【００３９】
カム筒１８は固定環１７に前後方向へ移動自在かつ周方向に回転自在に支持される（図４及び図６参照）。
【００４０】
カム筒１８は略円環状に形成され、外周面における後端部の一部にラックギヤ１８ａを有している。
【００４１】
カム筒１８は固定環１７に前後方向へ移動自在かつ周方向へ回転自在に支持される。
【００４２】
カム筒１８が固定環１７に支持された状態においては、ラックギヤ１８ａが固定部材１６と固定環１７の間で回転自在に支持された伝達ギヤ３３に噛合される。従って、ケース体３４に保持されたモーター３５が回転されると、その駆動力が伝達ギヤ群及び伝達ギヤ３３を介してラックギヤ１８ａに伝達され、モーター３５の回転方向に応じた方向へカム筒１８が回転され、固定環１７に対して回転しながら前後方向へ移動又は回転される。
【００４３】
固定環１７には直進ガイド３７が前後方向へ移動自在に支持される。直進ガイド３７は環状部３８と該環状部３８から前方へ突出されたガイド突部３９、３９、３９とが一体に形成されて成る。
【００４４】
直進ガイド３７は固定環１７に前後方向へ移動自在に支持されると共にカム筒１８に対して回転可能とされる。
【００４５】
固定環１７の前半部には飾りリング４０が取り付けられる（図４及び図６参照）。
【００４６】
カム筒１８には第２の可動ユニット４１が支持される（図６参照）。第２の可動ユニット４１は中間可動ユニット４２と該中間可動ユニット４２に取り付けられた光量調整装置４３とから成る（図７参照）。
【００４７】
中間可動ユニット４２はベース枠４４に所要の各部材が支持又は取り付けられて成る。
【００４８】
ベース枠４４は円板部４５と該円板部４５の外周部に設けられた被支持面部４６とを有している。
【００４９】
円板部４５の中央部には前後に貫通された透過用開口４５ａが形成されている。
【００５０】
ベース枠４４の前面側には第１の補正用移動枠４７が左右方向へ移動自在に支持され、該第１の補正用移動枠４７には第２の補正用移動枠４８が上下方向へ移動自在に支持されている。第２の補正用移動枠４８にはレンズ群４８ａが取り付けられている。
【００５１】
第２の補正用移動枠４８の前面には回路基板４９が取り付けられている。
【００５２】
上記したように、ベース枠４４に第１の補正用移動枠４７が支持され、該第１の補正用移動枠４７に第２の補正用移動枠４８が支持され、該第２の補正用移動枠４８に回路基板４９が取り付けられた状態において、ベース枠４４の前面に外コア５０が取り付けられて中間可動ユニット４２が構成される。
【００５３】
中間可動ユニット４２の後面側には光量調整装置４３が取り付けられ、両者によって第２の可動ユニット４１が構成される（図７及び図８参照）。
【００５４】
第２の可動ユニット４１は、直進ガイド３７のガイド突部３９、３９、３９に前後方向へ移動自在に支持されると共にカム筒１８に摺動自在に支持される。従って、第２の可動ユニット４１はカム筒１８の回転により直進ガイド３７に案内されて前後方向（光軸方向）へ移動される。
【００５５】
光量調整装置４３はベース枠４４の後面側に取り付けられる（図７及び図８参照）。
【００５６】
光量調整装置４３はベース体５１に所要の各部材が支持又は取り付けられて成る（図７乃至図１０参照）。
【００５７】
ベース体５１は略円環状に形成され、図１１に示すように、前面側の外周部５２を除いた部分に前方に開口された浅い装着用凹部５３を有している。ベース体５１は装着用凹部５３が形成された部分の厚みが外周部５２の厚みより薄く形成されている。
【００５８】
装着用凹部５３には大きな透孔５３ａが形成されている。装着用凹部５３には、透孔５３ａの周囲の位置に、前方へ突出されたフィルター用回動中心軸５３ｂ、それぞれ前方へ突出されたシャッター用回動中心軸５３ｃ、５３ｄが設けられている。装着用凹部５３にはそれぞれ前後に貫通された円弧状の挿通孔５３ｅ、５３ｆが形成されている。
【００５９】
フィルター用回動中心軸５３ｂとシャッター用回動中心軸５３ｃ、５３ｄは、透孔５３ａを挟んだ略反対側に位置され、シャッター用回動中心軸５３ｃ、５３ｄは周方向において離隔して位置され、挿通孔５３ｅはフィルター用回動中心軸５３ｂの近傍に位置され、挿通孔５３ｆはシャッター用回動中心軸５３ｃ、５３ｄの間に位置されている。
【００６０】
ベース体５１の後面には後方へ突出された３つの取付突部５１ａ、５１ｂ、５１ｃが２組設けられている。１組の取付突部５１ａ、５１ｂ、５１ｃは後述する第１のアクチュエーターをベース体５１に取り付けるためのものであり、別の１組の取付突部５１ａ、５１ｂ、５１ｃは後述する第２のアクチュエーターをベース体５１に取り付けるためのものである。
【００６１】
取付突部５１ａは略円柱状に形成され、外周面に周方向に離隔して、例えば、３つの小突起５１ｄ、５１ｄ、５１ｄを有している。
【００６２】
取付突部５１ｂと取付突部５１ｃは対向した状態で設けられている。外側に位置する取付突部５１ｂには、取付突部５１ｃと対向する面に、小突起５１ｅが設けられている。内側に位置する取付突部５１ｃは、取付突部５１ｂと対向する面が被押し当て面５１ｆとして形成されている。
【００６３】
ベース体５１の前面側にはカバー板５４、第１のセパレーター５５及び第２のセパレーター５６が取り付けられる（図９及び図１０参照）。
【００６４】
カバー板５４は、例えば、金属材料によって形成され、前後方向を向く覆い部５７と該覆い部５７の外周部からそれぞれ後方へ突出された被取付用突片５８、５８、５８とから成る。
【００６５】
覆い部５７の中央部にはベース体５１の透孔５３ａより小さな光透過孔５７ａが形成されている。覆い部５７には後方へ打ち出されることにより形成された第１の摺動突部５７ｂ、５７ｂと第２の摺動突部５７ｃ、５７ｃが設けられている（図９及び図１３参照）。
【００６６】
覆い部５７の外周部には、軸挿入孔５７ｄ、５７ｅ、５７ｆとそれぞれ円弧状に形成された挿通孔５７ｇ、５７ｈが形成されている。軸挿入孔５７ｄと軸挿入孔５７ｅ、５７ｆは、光透過孔５７ａを挟んだ略反対側に位置され、軸挿入孔５７ｅ、５７ｆは周方向において離隔して位置され、挿通孔５７ｇは軸挿入孔５７ｄの近傍に位置され、挿通孔５７ｈは軸挿入孔５７ｅ、５７ｆ間に位置されている。
【００６７】
第１のセパレーター５５は、図９に示すように、中央部にカバー板５４の光透過孔５７ａと略同じ大きさに形成された透過孔５５ａを有している。第１のセパレーター５５の外周部には、軸挿入孔５５ｂ、５５ｃ、５５ｄとそれぞれ円弧状に形成された挿通孔５５ｅ、５５ｆが形成されている。軸挿入孔５５ｂと軸挿入孔５５ｃ、５５ｄは、透過孔５５ａを挟んだ略反対側に位置され、軸挿入孔５５ｃ、５５ｄは周方向において離隔して位置され、挿通孔５５ｅは軸挿入孔５５ｂの近傍に位置され、挿通孔５５ｆは軸挿入孔５５ｃ、５５ｄ間に位置されている。
【００６８】
第２のセパレーター５６は、中央部にカバー板５４の光透過孔５７ａと略同じ大きさに形成された透過孔５６ａを有している。第２のセパレーター５６の外周部には、軸挿入孔５６ｂ、５６ｃとそれぞれ円弧状に形成された挿通孔５６ｄ、５６ｅが形成されている。軸挿入孔５６ｂと軸挿入孔５６ｃは透過孔５６ａを挟んだ略反対側に位置され、挿通孔５６ｄ、５６ｅはそれぞれ軸挿入孔５６ｂ、５６ｃの近傍に位置されている。
【００６９】
ベース体５１にはシャッター羽根５９、６０とフィルター羽根６１が回動自在に支持される（図９及び図１３参照）。シャッター羽根５９、６０とフィルター羽根６１はベース体５１の透孔５３ａを介して撮像装置１の内部に取り込まれる光の量を調整する光量調整部材として機能する。
【００７０】
シャッター羽根５９、６０はそれぞれシート状の材料によって形成され、一端部にそれぞれ軸挿入孔５９ａ、６０ａと一方向に長い作用孔５９ｂ、６０ｂとを有している。
【００７１】
フィルター羽根６１は、図１４及び図１５に示すように、減光用フィルター６２の両面にシート部材６３、６３が積層状に結合されて形成され、該シート部材６３、６３には第１のセパレーター５５の透過孔５５ａより径の大きな円形孔６３ａ、６３ａが形成されている。従って、フィルター羽根６１は円形孔６３ａ、６３ａに対応する位置に減光用フィルター６２が露出され、この露出された部分が光の量を制御して調整する制御部６２ａとして設けられている。減光用フィルター６２としては、ＮＤ（Neutral Density）フィルターが用いられている。
【００７２】
フィルター羽根６１には一端部に軸挿入孔６１ａと一方向に長い作用孔６１ｂとが形成されている。
【００７３】
第２のセパレーター５６はベース体５１の装着用凹部５３に配置されて取り付けられ、軸挿入孔５６ｂ、５６ｃにそれぞれベース体５１のフィルター用回動中心軸５３ｂ、シャッター用回動中心軸５３ｃが挿入される。シャッター用回動中心軸５３ｄは第２のセパレーター５６の直ぐ外側に位置される。
【００７４】
第２のセパレーター５６の前面側にフィルター羽根６１が支持される（図９参照）。フィルター羽根６１は軸挿入孔６１ａにベース体５１のフィルター用回動中心軸５３ｂが挿入され、該フィルター用回動中心軸５３ｂを支点としてベース体５１に回動自在に支持される。
【００７５】
フィルター羽根６１は上記のように減光用フィルター６２の両面にシート部材６３、６３が積層状に結合されて形成された３枚構成とされており、第１のセパレーター５５と第２のセパレーター５６の間での回動時における減光用フィルター６２の傷付きや損傷の防止を図ることができる。
【００７６】
第１のセパレーター５５がベース体５１に取り付けられた状態において、シャッター羽根５９、６０がベース体５１に回動自在に支持される（図１３参照）。シャッター羽根５９、６０はそれぞれ軸挿入孔５９ａ、６０ａにベース体５１のシャッター用回動中心軸５３ｃ、５３ｄが挿入され、該シャッター用回動中心軸５３ｃ、５３ｄを支点として一部が重ねられた状態でベース体５１に回動自在に支持される。
【００７７】
シャッター羽根５９、６０がベース体５１に支持された状態において、カバー板５４がベース体５１に取り付けられる（図９及び図１０参照）。カバー板５４は被取付用突片５８、５８、５８に外周部５２が係合されることによりベース体５１に取り付けられる。従って、シャッター羽根５９、６０はカバー板５４と第１のセパレーター５５の間で回動可能とされる。
【００７８】
ベース体５１の後面には第１のアクチュエーター６４と第２のアクチュエーター６５が取り付けられる（図９及び図１２参照）。
【００７９】
第１のアクチュエーター６４は、コア６６、該コア６６に保持されたコイル６７、マグネット６８及び駆動アーム６９を有し、該駆動アーム６９はベース部６９ａと該ベース部６９ａから前方へ突出されたアーム部６９ｂとから成る。アーム部６９ｂの先端部には駆動ピン６９ｃが設けられている。
【００８０】
コア６６はマグネット６８を外周方向から挟んで位置する一対の対峙部６６ａ、６６ｂと該一対の対峙部６６ａ、６６ｂの各一端部を連結する連結部６６ｃとを有し、対峙部６６ａ、６６ｂの先端部はマグネット６８の外周面に沿う円弧状に形成されている。
【００８１】
第２のアクチュエーター６５はコア７０、該コア７０に保持されたコイル７１、マグネット７２及び駆動アーム７３を有し、該駆動アーム７３はベース部７３ａと該ベース部７３ａから前方へ突出されたアーム部７３ｂとから成る。アーム部７３ｂの先端部には駆動ピン７３ｃが設けられている。
【００８２】
コア７０はマグネット７２を外周方向から挟んで位置する一対の対峙部７０ａ、７０ｂと該一対の対峙部７０ａ、７０ｂの各一端部を連結する連結部７０ｃとを有し、対峙部７０ａ、７０ｂの先端部はそれぞれマグネット６８の外周面に沿う円弧状に形成されている。
【００８３】
コア６６、７０の連結部６６ｃ、７０ｃには、それぞれ円形の被取付孔６６ｄ、７０ｄが形成されている。
【００８４】
第１のアクチュエーター６４と第２のアクチュエーター６５は、それぞれコイル６７、７１に流れる電流に応じてコア６６、７０とマグネット６８、７２との間に回転力が発生し、この回転力によって駆動アーム６９、７３がコイル６７、７１に流れる電流の向きに応じた方向へ回動される。
【００８５】
第１のアクチュエーター６４と第２のアクチュエーター６５は、ベース体５１の周方向に離隔した位置に押さえ板７４によって後方から押さえられて取り付けられる（図７乃至図９参照）。
【００８６】
第１のアクチュエーター６４と第２のアクチュエーター６５は、それぞれベース体５１に被取付部５１ａ、５１ｂ、５１ｃによって取り付けられる（図１２参照）。
【００８７】
第１のアクチュエーター６４は、コア６６の被取付孔６６ｄに取付突部５１ａが挿入されて嵌合され、コア６６の対峙部６６ａにおける先端側の部分が取付突部５１ｂ、５１ｃ間に挿入されて嵌合されベース体５１に取り付けられる。
【００８８】
第１のアクチュエーター６４がベース体５１に取り付けられた状態においては、小突起５１ｄ、５１ｄ、５１ｄによって取付突部５１ａが被取付孔６６ｄに圧入され、小突起５１ｅによって取付突部５１ｂ、５１ｃ間にコア６６の対峙部６６ａにおける先端側の部分が圧入され、取付突部５１ｃの被押し当て面５１ｆにコア６６が面接触された状態で押し当てられる。従って、第１のアクチュエーター６４はベース体５１に固定される。
【００８９】
上記のように、コア６６の対峙部６６ａにおける先端側の部分は取付突部５１ｂ、５１ｃ間に圧入されて挟持されるため、取付突部５１ｂ、５１ｃはそれぞれ第１の挟持部と第２の挟持部として機能する。
【００９０】
第２のアクチュエーター６５のベース体５１への取付も第１のアクチュエーター６４と同様であり、コア６６の被取付孔６６ｄに取付突部５１ａが挿入されて嵌合され、コア６６の対峙部６６ａにおける先端側の部分が取付突部５１ｂ、５１ｃ間に挿入されて嵌合されベース体５１に取り付けられて固定される。
【００９１】
以上に記載した通り、撮像装置１にあっては、ベース体５１の２箇所において小突起５１ｄ、５１ｄ、５１ｄ、５１ｅを有する取付突部５１ａ、５１ｂを設けて第１のアクチュエーター６４と第２のアクチュエーター６５を固定しているため、第１のアクチュエーター６４と第２のアクチュエーター６５のベース体５１への取付に関する各部の加工精度を高めることなくベース体５１に対する第１のアクチュエーター６４と第２のアクチュエーター６５のガタツキを防止することができる。
【００９２】
また、コア６６、７０に円形の被取付孔６６ｄ、７０ｄを形成し、取付突部５１ａの外周面に周方向に離隔した３つの小突起５１ｄ、５１ｄ、５１ｄを設けているため、第１のアクチュエーター６４と第２のアクチュエーター６５のベース体５１に対する取付状態の安定化を図ることができる。
【００９３】
さらに、取付突部５１ｂに小突起５１ｅを設け、取付突部５１ｃに被押し当て面５１ｆを形成しているため、コア６６の対峙部６６ａにおける先端側の部分が被押し当て面５１ｆに面接触された状態でベース体５１に取り付けられ、第１のアクチュエーター６４と第２のアクチュエーター６５の安定した取付状態を確保することができる。
【００９４】
さらにまた、取付突部５１ｂと取付突部５１ｃはマグネット６８、７２の近傍に位置されているため、マグネット６８、７２の外周面とコア６６、７０の対向する面との間の位置精度が向上し、第１のアクチュエーター６４と第２のアクチュエーター６５の動作の信頼性を確保することができる。
【００９５】
加えて、取付突部５１ａと取付突部５１ｂ、５１ｃとがコイル６７、７１を挟んで反対側に位置されるため、取付突部５１ａと取付突部５１ｂ、５１ｃとの距離が長く、第１のアクチュエーター６４と第２のアクチュエーター６５のベース体５１に対する取付状態の安定化を図ることができる。
【００９６】
尚、上記には、取付突部５１ａに三つの小突起５１ｄ、５１ｄ、５１ｄを設けた例を示したが、取付突部５１ａに設けられる小突起５１ｄは三つに限られることはなく、二つ以上であれば任意である。
【００９７】
また、上記には、取付突部５１ｂに小突起５１ｅを設け、取付突部５１ｃに被押し当て面５１ｆを形成した例を示したが、逆に、取付突部５１ｂに被押し当て面を形成し、取付突部５１ｃに小突起を設けてもよい。
【００９８】
第１のアクチュエーター６４と第２のアクチュエーター６５がベース体５１に取り付けられた状態において、駆動アーム６９の駆動ピン６９ｃはベース体５１の挿通孔５３ｆ、第２のセパレーター５６の挿通孔５６ｅ、シャッター羽根５９、６０の作用孔５９ｂ、６０ｂ、第１のセパレーター５５の挿通孔５５ｆ及びカバー板５４の挿通孔５７ｈを順に挿通され、また、駆動アーム７３の駆動ピン７３ｃはベース体５１の挿通孔５３ｅ、第２のセパレーター５６の挿通孔５６ｄ、フィルター羽根６１の作用孔６１ｂ、第１のセパレーター５５の挿通孔５５ｅ及びカバー板５４の挿通孔５７ｇを順に挿通される。
【００９９】
シャッター羽根５９、６０の駆動に関しては、駆動アーム６９の回動によりシャッター羽根５９、６０が互いに反対方向へ回動されて透孔５３ａが開閉される。
【０１００】
フィルター羽根６１の駆動に関しては、駆動アーム７３の回動によりフィルター羽根６１が回動されて透孔５３ａが開閉される。
【０１０１】
押さえ板７４の後面には配線板７５が取り付けられる（図４参照）。配線板７５はコイル６７、７１に接続され、該コイル６７、７１に電源を供給する機能を有する。
【０１０２】
上記のようにして構成された光量調整装置４３は、ベース体５１がベース枠４４に係合されて中間可動ユニット４２に取り付けられ、該中間可動ユニット４２と光量調整装置４３によって第２の可動ユニット４１が構成される。
【０１０３】
第１の可動ユニット１９は移動枠７６にレンズ群７７が保持されて成る（図４及び図６参照）。移動枠７６の中心部には、レンズホルダー７８を介してレンズ群７７が取り付けられる。
【０１０４】
第１の可動ユニット１９は、移動枠７６が直進ガイド３７のガイド突部３９、３９、３９に摺動自在に支持されると共にカム筒１８に摺動自在に支持される。従って、第１の可動ユニット１９はカム筒１８の回転により直進ガイド３７に案内されて前後方向（光軸方向）へ移動される。
【０１０５】
第１の可動ユニット１９の前面側にはレンズバリヤー７９が取り付けられる（図４及び図６参照）。
【０１０６】
第１の可動ユニット１９にレンズバリヤー７９が取り付けられた状態において、移動枠７６とレンズバリヤー７９の外面側に飾りリング８０が取り付けられる。
【０１０７】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１０８】
【図１】図２乃至図１５と共に本発明の最良の形態を示すものであり、本図は、レンズ鏡筒が装置本体に収納されている状態で示す撮像装置の斜視図である。
【図２】レンズ鏡筒が装置本体から突出されている状態で示す撮像装置の斜視図である。
【図３】撮像装置を図１及び図２とは反対側から見た状態で示す斜視図である。
【図４】レンズ鏡筒の分解斜視図である。
【図５】レンズ鏡筒の拡大斜視図である。
【図６】沈胴位置にある状態を示すレンズ鏡筒の拡大断面図である。
【図７】中間可動ユニットと光量調整装置を分離して示す拡大斜視図である。
【図８】第２の可動ユニットの拡大斜視図である。
【図９】光量調整装置の分解斜視図である。
【図１０】光量調整装置の拡大斜視図である。
【図１１】ベース体の拡大斜視図である。
【図１２】第１のアクチュエーターと第２のアクチュエーターのベース体に対する取付状態を示す拡大正面図である。
【図１３】カバー板とシャッター羽根を示す拡大分解斜視図である。
【図１４】フィルター羽根の拡大分解斜視図である。
【図１５】フィルター羽根の拡大斜視図である。
【符号の説明】
【０１０９】
１…撮像装置、２…装置本体、３…レンズ鏡筒、４３…光量調整装置、５１…ベース体、５１ａ…取付突部、５１ｂ…取付突部、５１ｃ…取付突部、５１ｄ…小突起、５１ｅ…小突起、５１ｆ…被押し当て面、５９…シャッター羽根（光量調整部材）、６０…シャッター羽根（光量調整部材）、６１…フィルター羽根（光量調整部材）、６６…コア、６６ａ…対峙部、６６ｂ…対峙部、６６ｃ…連結部、６６ｄ…被取付孔、６７…コイル、６８…マグネット、６９…駆動アーム、７０…コア、７０ａ…対峙部、７０ｂ…対峙部、７０ｃ…連結部、７０ｄ…被取付孔、７１…コイル、７２…マグネット、７３…駆動アーム
【図１】
2008176061.tif 000003
【図２】
2008176061.tif 000004
【図３】
2008176061.tif 000005
【図４】
2008176061.tif 000006
【図５】
2008176061.tif 000007
【図６】
2008176061.tif 000008
【図７】
2008176061.tif 000009
【図８】
2008176061.tif 000010
【図９】
2008176061.tif 000011
【図１０】
2008176061.tif 000012
【図１１】
2008176061.tif 000013
【図１２】
2008176061.tif 000014
【図１３】
2008176061.tif 000015
【図１４】
2008176061.tif 000016
【図１５】
2008176061.tif 000017